(57)【要約】【課題】良好な書き換え記録が可能な情報記録シンボルリライトシールを提供すること。【解決手段】加熱によって２次元バーコードの書き換え記録が可能とされたリライト記録層４１と、該リライト記録層をその一方面に担持する基材層４３と、該基材層の前記リライト記録層４１の反対面に形成された断熱層４５と、該断熱層上に形成された粘着層４６とを設ける。【選択図】図７
2008052456.tif 000002
【特許請求の範囲】
【請求項１】
加熱によって情報記録シンボルの書き換え記録が可能とされたリライト記録層と、該リライト記録層をその一方面に担持する基材層と、該基材層の前記リライト記録層の反対面に形成された断熱層と、該断熱層上に形成された粘着層とから成ることを特徴とする情報記録シンボルリライトシール。
【請求項２】
前記断熱層が、発泡により弾性を有する弾性体により形成されていることを特徴とする請求項１に記載の情報記録シンボルリライトシール。
【請求項３】
前記基材層と前記断熱層との間に、熱線を反射するための熱線反射層を有することを特徴とする請求項１または２に記載の情報記録シンボルリライトシール。
【請求項４】
情報記録シンボルの読み取りを行う情報記録シンボル読み取り手段と、
該情報記録シンボル読み取り手段にて読み取った情報記録シンボルをシンボル化前の未変換データに復号する復号手段と、
該復号手段にて復号された復号データを外部出力する復号データ出力手段と、
前記未変換データを情報記録シンボルに変換する変換手段と、
管理対象物に貼着された情報記録シンボルリライトシールに設けられた加熱によって情報記録シンボルの書き換え記録が可能とされたリライト記録層に、前記変換手段にて変換した情報記録シンボルを、該リライト記録層を加熱することにより書き換え記録する書き換え記録手段と、
外部からの電力供給を受けることなく前記各手段が動作するための電力を供給するための電池手段と、
を備え、利用者が携行して利用可能とされていることを特徴とする携行用情報記録シンボルリードライト装置。
【請求項５】
前記情報記録シンボル読み取り手段として電荷結合素子（ＣＣＤ）イメージセンサを有するとともに、該電荷結合素子（ＣＣＤ）イメージセンサにて撮像した画像を表示可能な表示部と、前記電荷結合素子（ＣＣＤ）イメージセンサの撮像領域内の所定位置に前記書き換え記録手段を誘導する誘導手段を備えることを特徴とする請求項４に記載の携行用情報記録シンボルリードライト装置。
【請求項６】
前記書き換え記録手段がサーマルヘッドにより形成されており、
前記誘導手段は、前記サーマルヘッドが携行用情報記録シンボルリードライト装置の下端面よりも突出するように、前記書き換え記録手段を誘導することを特徴とする請求項４または５に記載の携行用情報記録シンボルリードライト装置。
【請求項７】
前記書き換え記録手段には、複数のサーマルヘッドが並列して面状に形成されているとともに、該面状配列されたサーマルヘッドが、前記誘導手段に対して、回動可能に軸支されていることを特徴とする請求項４〜６のいずれかに記載の携行用情報記録シンボルリードライト装置。
【発明の詳細な説明】
【技術分野】
【０００１】
本発明は、情報記録シンボルを書き換え記録可能とされた情報記録シンボルリライトシールおよび、該情報記録シンボルリライトシールにおける情報記録シンボルの書き換え記録を実施するための携行用情報記録シンボルリードライト装置に関する。
【背景技術】
【０００２】
近年、情報記録シンボルであるバーコードとしては、２次元バーコードのように、情報記録シンボル中にシンボル化できる情報量が、比較的大きくなってきているとともに、これら２次元バーコードの読み取り機能を備える携帯電話機が普及してきていることから、案内したいサイトのＵＲＬの情報がシンボル化された２次元バーコードを雑誌や広告に印刷して、該サイトへのアクセスを容易化したり、又は、名刺等に自身の氏名や電話番号や住所等の情報がシンボル化された２次元バーコードを印刷しておき、これら氏名や電話番号や住所等の情報の入力を容易化すること等が実施されている（例えば、特許文献１参照）。
【０００３】
また、これら２次元バーコードや１次元バーコード等は、各種の商品や製品、例えばレンタルビデオやレンタルＤＶＤ等の貸出管理や、製品の品質管理、物流管理においても使用されている（例えば、特許文献２参照）。
【０００４】
しかしながら、前述した情報記録シンボルの利用形態においては、情報記録シンボルは、予め管理対象とする商品や製品に印刷されているものを使用するか、或いは、バーコードプリンタ等によりラベル等に印刷したものを商品や製品にその都度貼着するか、或いは、商品や製品に直接印刷されている情報記録シンボル若しくは既に貼着されているラベル等に印刷された情報記録シンボルを流用して、これら情報記録シンボルにシンボル化されているＩＤ等に対応付けて、管理対象の商品や製品に係わる情報を、例えば、管理コンピュータ等において記憶することで管理する必要があるため、作業現場においては、情報を知りたい商品や製品に付与（直接印刷ならびにラベル貼着を含む）された情報記録シンボルを読み取っても、該読み取った情報記録シンボルにシンボル化されているＩＤ等に対応して管理されている情報を、管理コンピュータ等と通信して取得しなければならず、これらの通信システムや管理コンピュータ等の設置に大きなコストがかかるという問題があるとともに、情報記録シンボルが印刷されたラベルをその都度貼着する場合には、どのラベルの情報記録シンボルを読み取れば、所望の管理情報が取得できるのかを特定し難くなってしまうという問題があった。
【０００５】
このため、上述した２次元バーコードのように、近年の情報記録シンボルは、シンボル化できる情報量が多くなってきていることから、これら情報記録シンボル自体に各種の管理情報をシンボル化して記憶することで、直接、管理情報を情報記録シンボル自体から取得できるようにするとともに、管理情報に変更が生じた場合等には、情報記録シンボルを書き換え記憶できるようにしたカード状のタグを使用する物流管理システムがある（例えば、特許文献３参照）。
【０００６】
【特許文献１】特開２００５−１４１６２６号公報
【特許文献２】特開２００１−２５３５１４号公報
【特許文献３】特開２００２−２９１６号公報
【発明の開示】
【発明が解決しようとする課題】
【０００７】
しかしながら、これら特許文献３のカード状のタグは、クレジットカードと同様のプラスチックカードの一面が情報記録シンボルの記録、並びに書き換えが可能とされたカード状タグであって、情報記録シンボルの書き換えを実施する際には、これらカード状タグを流通する商品から取り出して記録装置にて記録するために、これら情報記録シンボルのリライトを実施したカード状タグを取り出した商品とは異なる商品に誤って戻してしまう場合があり、このようなタグによる問題を解消するために、これら情報記録シンボルの書き換え記録が可能なリライト記録層と粘着層とを有するシールをとして商品等に直接貼着することが考えられるが、このようにすると、カードリーダライタの内部のように、カードを記録や消去を実施するサーマルヘッド部に断熱性の高いローラ等によりリライト記録層を押し当てることが可能な場合に比較して、貼着されている商品や製品に、記録時や消去時にリライト記録層に印加した熱が逃げてしまい、良好に記録できない場合があるという問題があるとともに、これら商品や製品に貼着されているシールに直接的に情報記録シンボルの書き換え記録を実施する携行用情報記録シンボルリードライト装置が存在しないという問題があった。
【０００８】
本発明は、このような問題点に着目してなされたもので、良好な情報記録シンボルの書き換え記録が可能な情報記録シンボルリライトシール並びに該情報記録シンボルリライトシールへの情報記録シンボルの書き換え記録を直接行うことのできる携行用情報記録シンボルリードライト装置を提供することを目的とする。
【課題を解決するための手段】
【０００９】
上記課題を解決するために、本発明の請求項１に記載の情報記録シンボルリライトシールは、
加熱によって情報記録シンボル（２次元バーコード）の書き換え記録が可能とされたリライト記録層（サーモクロミック層４１）と、該リライト記録層をその一方面に担持する基材層（ＰＥＴフィルム４３）と、該基材層の前記リライト記録層の反対面に形成された断熱層（発泡ウレタン層４５）と、該断熱層上に形成された粘着層（アクリル粘着剤層４６）とから成ることを特徴としている。
この特徴によれば、情報記録シンボルリライトシール（リライトシール４０）が商品や製品に貼着されている状態にて書き換え記録がなされても、断熱層を有することによって書き換え記録時おける熱が商品や製品に逃げてしまうことを極力防止でき、情報記録シンボルの書き換え記録を良好に実施できるようになる。
【００１０】
本発明の請求項２に記載の情報記録シンボルリライトシールは、請求項１に記載の情報記録シンボルリライトシールであって、
前記断熱層（発泡ウレタン層４５）が、発泡により弾性を有する弾性体により形成されていることを特徴としている。
この特徴によれば、発泡による弾性体を用いることで、高い断熱性を保持しつつ、情報記録シンボルリライトシールが貼着されている面の凹凸等が該弾性体により吸収され、リライト記録層と記録ヘッドとを良好に密接させることができるようになるので、これら凹凸等による記録品位の低下を極力回避することができる。
【００１１】
本発明の請求項３に記載の情報記録シンボルリライトシールは、請求項１または２に記載の情報記録シンボルリライトシールであって、
前記基材層（ＰＥＴフィルム４３）と前記断熱層（発泡ウレタン層４５）との間に、熱線を反射するための熱線反射層（アルミ蒸着層４４）を有することを特徴としている。
この特徴によれば、熱線反射層を有することで、更に貼着されている商品や製品への熱拡散を防止することができる。
【００１２】
本発明の請求項４に記載の携行用情報記録シンボルリードライト装置１は、
情報記録シンボル（２次元バーコード）の読み取りを行う情報記録シンボル読み取り手段（リーダモジュール３３）と、
該情報記録シンボル読み取り手段にて読み取った情報記録シンボルをシンボル化前の未変換データに復号する復号手段（制御ユニット３１）と、
該復号手段にて復号された復号データを外部出力する復号データ出力手段（液晶モジュール３２、ＵＳＢインターフェイス１３）と、
前記未変換データを情報記録シンボルに変換する変換手段（制御ユニット３１）と、
管理対象物に貼着された情報記録シンボルリライトシール（リライトシール４０）に設けられた加熱によって情報記録シンボルの書き換え記録が可能とされたリライト記録層（サーモクロミック層４１）に、前記変換手段にて変換した情報記録シンボルを、該リライト記録層を加熱することにより書き換え記録する書き換え記録手段（駆動回路３５、書き換え記録ヘッド１６）と、
外部からの電力供給を受けることなく前記各手段が動作するための電力を供給するための電池手段（電源回路３８、電池３９）と、
を備え、利用者が携行して利用可能とされていることを特徴としている。
この特徴によれば、情報記録シンボルリライトシールに記録されている情報記録シンボルにシンボル化されている管理情報を、管理コンピュータ等から取得することなく情報記録シンボルから直接取得して外部出力できるようになるとともに、これら管理情報に変更があった場合には、変更のあった管理情報がシンボル化された情報記録シンボルに、書き換えることができる。
【００１３】
本発明の請求項５に記載の携行用情報記録シンボルリードライト装置は、請求項４に記載の携行用情報記録シンボルリードライト装置であって、
前記情報記録シンボル読み取り手段として電荷結合素子（ＣＣＤ）イメージセンサ３４を有するとともに、該電荷結合素子（ＣＣＤ）イメージセンサ３４にて撮像した画像を表示可能な表示部５と、前記電荷結合素子（ＣＣＤ）イメージセンサの撮像領域内の所定位置に前記書き換え記録手段を誘導する誘導手段（スライド路２１）を備えることを特徴としている。
この特徴によれば、電荷結合素子（ＣＣＤ）イメージセンサにて撮像された情報記録シンボルリライトシールの映像が、表示部の所定位置に表示されるようにすることで、誘導手段によって所定の記録位置に書き換え記録手段が誘導されて、情報記録シンボルリライトシールと書き換え記録手段との位置合わせがなされるようになるので、これら書き換え記録時の位置合わせを簡便に実施することができる。
【００１４】
本発明の請求項６に記載の携行用情報記録シンボルリードライト装置は、請求項４または５に記載の携行用情報記録シンボルリードライト装置であって、
前記書き換え記録手段（駆動回路３５、書き換え記録ヘッド１６）がサーマルヘッド６３により形成されており、
前記誘導手段（スライド路２１）は、前記サーマルヘッドが携行用情報記録シンボルリードライト装置（ハンディリードライト装置１）の下端面よりも突出するように、前記書き換え記録手段を誘導することを特徴としている。
この特徴によれば、サーマルヘッドと情報記録シンボルリライトシールとを、より強固に密着させることができる。
【００１５】
本発明の請求項７に記載の携行用情報記録シンボルリードライト装置は、請求項４〜６のいずれかに記載の携行用情報記録シンボルリードライト装置であって、  
前記書き換え記録手段（書き換え記録ヘッド１６）には、複数のサーマルヘッド６３が並列して面状に形成されているとともに、該面状配列されたサーマルヘッド（面状サーマルヘッド部６１）が、前記誘導手段（スライド路２１）に対して、回動可能に軸支されていることを特徴としている。
この特徴によれば、情報記録シンボルリライトシールの貼着面が、傾斜または曲率を有していても、該傾斜方向や曲率方向を回動方向とすることで、これら傾斜または曲率を有する貼着面に貼着されている情報記録シンボルリライトシールにも、良好な書き換え記録を実施することができる。
【発明を実施するための最良の形態】
【００１６】
本発明の実施例を以下に説明する。
【実施例】
【００１７】
本発明の実施例を図面に基づいて説明すると、先ず図1は、本実施例の情報記録シンボルリライトシールであるリライトシール４０と携行用情報記録シンボルリードライト装置であるハンディリードライト装置１の全体像を示す斜視図である。
【００１８】
尚、本実施例では、リライトシール４０を、商品であるＤＶＤソフトの製造管理をするためにその収納ケース５０に貼着した例を示すが、本発明はこれに限定されるものではなく、これら収納ケース５０以外の商品や製品、業種にも本発明を適用できることは言うまでもない。
【００１９】
まず、本実施例のハンディリードライト装置１は、図１に示すように、縦長長方形状の表示部５を有する頭部２と、２次元バーコードの読み取り時に操作される読み取りキースイッチ８や２次元バーコードの書き換え記録時に操作される記録キースイッチ７を含む複数の操作キースイッチを備える操作パネル６を有し、頭部２より細幅とされることで操作者が握り易くされている把手部３とから主に構成された、小型の略羽子板形状とされている。
【００２０】
また、頭部２は、図２（ｃ）の側面図にも示すように、把手部３の下面に対して裏面側に突出することで、その厚みが把手部３の厚みよりも厚くされた形状とされているとともに、その長辺となる一方の側面には、図１並びに図２（ｃ）に示すように、スライドボタン１０と、該スライドボタン１０が移動するスライドボタンガイド溝１１が形成されており、該スライドボタン１０をスライド操作することで、頭部２内に形成されている収納部２０’に収納されている後述する書き換え記録ヘッド１６を、書き換え記録時において操作者がスライド移動させることができるようになっている。
【００２１】
また、スライドボタン１０が形成されている側面と対向する他の側面には、図２（ａ），（ｂ）に示すように、ＵＳＢ（Universal Serial Bus）インターフェイス１３が設けられており、これらインターフェイス１３を通じて、例えば、図４に示すように、ＵＳＢ（Universal Serial Bus）インターフェイス１０２を有する他の機器であるノートパソコン１００に、ＵＳＢ（Universal Serial Bus）ケーブル１０１を介して、該ハンディリードライト装置１にて読み取った書き換え前の読み取りデータや、新たに書き換え記録した書き換え記録データ等を、データ出力可能とされている。
【００２２】
そして、ハンディリードライト装置１の頭部２裏面には、図２（ｂ）に示すように、正方形状の開口１４を有する凹部２０が形成されているとともに、該凹部２０の底部には、電荷結合素子（ＣＣＤ）イメージセンサ３４が露出配置された開孔１５が穿設されている。
【００２３】
尚、図２（ｂ）における１２は、把手部３内部に形成された電池収納部を覆う、ハンディリードライト装置１に取外し自在に設けられた蓋材である。
【００２４】
ここで、本実施例のハンディリードライト装置１の構成を、図３に基づいて説明すると、表示部５を形成する液晶モジュール３２や、前記電荷結合素子（ＣＣＤ）イメージセンサ３４を含むリーダモジュール３３や、前記書き換え記録ヘッド１６や、該書き換え記録ヘッド１６に設けられているサーマルヘッドの駆動回路３５や、各種の操作キースイッチを有する操作パネル６や、読み取りや書き換え記録の完了等の報知音を出力するサウンダ３０に加えて、これら各部の動作電力を、前記電池収納部に収納されている電池３９の電力に基づいて供給する電源回路３８や、前述したＵＳＢ（Universal Serial Bus）ケーブル１０１を介してノートパソコン１００との間の有線データ通信を行うためのＵＳＢインターフェイス１３や、これら各部に図３に示すように接続されることで、その動作を制御してハンディリードライト装置１の各種の機能を提供する制御を行う制御ユニット３１から構成されている。
【００２５】
この本実施例に用いた制御ユニット３１は、図３に示すように、ハンディリードライト装置１の各機能を実現するための制御動作内容が記述された制御プログラムや設定データ等が記憶されるプログラムロム（Ｐ−ＲＯＭ）２６や、これら制御プログラムに基づいて読み取った２次元バーコードの復号処理や、２次元バーコードへの変換処理等を実行する制御マイコン（ＭＰＵ）２５や、該制御マイコン（ＭＰＵ）２５が各種の処理を実施する際のワークメモリ等として使用されるメモリ（ＲＡＭ）２７や、その時点の時刻や日付等の日時情報を出力可能な本発明における日時情報出力手段となるリアルタイムクロック（ＲＴＣ）２８や、リーダモジュール３３にて読み取って復号された復号データや、書き換え記録した書き換え記録データ等を記憶ためのフラッシュメモリ２９を有しており、ハンディリードライト装置１の各部と接続されていることにより、これら接続されている各部の動作を制御できるようになっている。
【００２６】
次に、本実施例のハンディリードライト装置１の内部構成を、図５のＡ−Ａ断面図に基づいて説明すると、ハンディリードライト装置１は、上部筐体９ａと下部筐体９ｂとから構成されており、これら上部筐体９ａと下部筐体９ｂとが、図示しない嵌合爪と嵌合受部とが嵌合することにより一体化するようになっている。
【００２７】
この上部筐体９ａの内部には、柱状突起にネジ止めされる形態にて、主基板１８が固定されている。そして、該主基板１８の頭部２に位置する一方面（上面）には、表示部５を成す液晶モジュール３２が搭載されているとともに、主基板１８の把手部３に位置する一方面には、記録キースイッチ７や読み取りキースイッチ８を含む各種の操作キースイッチを形成するスイッチメンブレンシート６’が搭載されており、該スイッチメンブレンシート６’と主基板１８上に形成された櫛歯電極とで、各スイッチが形成されている。
【００２８】
また、主基板１８の液晶モジュール３２が搭載されている面と反対面（下面）には、制御ユニット３１が搭載されている。また、下部筐体９ｂの上面には、前記凹部２０に穿設されている開孔１５に臨むように、電荷結合素子（ＣＣＤ）イメージセンサ３４を有するリーダモジュール３３が設けられているとともに、該リーダモジュール３３の把手部３側の領域には、柱状突起にネジ止めされる形態にて、子基板１９が固設されていて、該子基板１９には、サーマルヘッドの駆動回路３５や、電池３９の電力を昇圧して供給する電源回路３８等が搭載されている。
【００２９】
そして、この子基板１９の下方位置には、前述した凹部２０に連なる内部空隙となる収納部２０’が形成されており、書き換え記録時以外においては、該収納部２０’内に書き換え記録ヘッド１６が収納されるようになっている。
【００３０】
この書き換え記録ヘッド１６と子基板１９とは、該子基板１９の下方に形成された連通孔２４に挿通されたフラットケーブル２３にて接続されており、該書き換え記録ヘッド１６が子基板１９に搭載されているサーマルヘッドの駆動回路３５により駆動制御されるようになっている。
【００３１】
また、凹部２０並びに収納部２０’の両側壁には、書き換え記録ヘッド１６をスライド移動させるためのスライド路２１が、開口１４に向けて傾斜するように形成されており、これらスライド路２１に、図６に示すように、書き換え記録ヘッド１６の両側面から導出された円筒状の係止ピン２２が挿入されることにより、書き換え記録ヘッド１６が該係止ピン２２を軸として回動可能で且つスライド移送可能とされているとともに、該係止ピン２２から延設された連結部材１７によりスライドボタン１０と係止ピン２２とが連結されることで（図２（ｂ）参照）、スライドボタン１０をスライド操作することにより、書き換え記録ヘッド１６が、スライドボタン１０をスライド操作に伴って該スライド路２１上を移動するように構成されている。
【００３２】
そして、スライド路２１を終端位置までスライド移動させたときには、図５（ｂ）に示すように、電荷結合素子（ＣＣＤ）イメージセンサ３４の撮像領域内となる開口１４内の所定の印字位置に位置するようになるとともに、該書き換え記録ヘッド１６の下端面１６’が、ハンディリードライト装置１の下端面よりも突出することで、書き換え記録時において、書き換え記録ヘッド１６の下端面１６’とリライトシール４０の上面とが強固に密接するように構成されている。
【００３３】
ここで、本実施例に用いた書き換え記録ヘッド１６の構成について、図６を用いて説明すると、書き換え記録ヘッド１６は、２次元バーコードに印字面積よりもやや大きい正方形領域に、複数のサーマルヘッド部６３が並列配置された面状サーマルヘッド部６１と、該面状サーマルヘッド部６１の大きさよりも、サーマルヘッド部６３の配列方向側がやや大きな四角状凹部６２を有する基台６０とから構成され、該面状サーマルヘッド部６１が、四角状凹部６２内をサーマルヘッド部６３の配列方向に移動可能に嵌合されている。
【００３４】
そして、基台６０内部には、面状サーマルヘッド部６１を移動させるための図示しないマグネットアクチュエータが内蔵されており、該マグネットアクチュエータにより書き換え記録に際して、図６（ａ）の状態から図６（ｂ）の状態に、サーマルヘッド部６３の配列間隔と同距離だけ移動されることにより、面状にムラ無く消去並びに記録が実施できるようになっていて、これらマグネットアクチュエータによる移動等も、サーマルヘッドの駆動回路３５により制御される。
【００３５】
次に、本実施例に用いたリライトシール４０の構成について、図７に示す断面図に基づいて説明すると、リライトシール４０は、該図７に示すように、基材層である所定厚みのポリエチレンテレフタレートフイルム（ＰＥＴフィルム）４３の一面に、本発明における熱線反射層となるアルミ蒸着層４４と、本発明における弾性体から成る断熱層となる発泡ウレタン層４５と、本発明の粘着層となるアクリル粘着剤層４６とが設けられ、その反対面には、アルミ蒸着層４２と、所定の加熱により光の透過性が変化するサーモクロミック層４１が設けられた構成とされており、アルミ蒸着層４２並びにサーモクロミック層４１によって本発明におけるリライト記録層が形成されている。
【００３６】
このサーモクロミック層４１は、周知のリライトカードに使用されているロイコ染料等を利用したものを利用することができ、所定温度である約１２０℃程度に加熱された部分が、図８（ａ）に示されるように、その内部に間隙が形成されて透過する光が乱反射されて白く（青く）なり、その他の加熱されない部分とコントラストが形成されて２次元バーコードの記録がなされ、これら印字を消去して書き換えを実施する場合には、これら２次元バーコードの記録部を約９０℃程度の温度に加熱することにより、図８（ｂ）に示されるように、前記印字された部分の間隙が元に復元されてコントラストが消失し、該消失した後に、再度、記録部分を所定温度である約１２０℃程度に加熱することにより、図８（ｃ）のように、２次元バーコードが記録されることで、複数回に亘っての書き換え記録が可能とされている。
【００３７】
尚、本実施例では、リライト記録層としてアルミ蒸着層４２を有するものを例示しているが、サーモクロミック層４１の発色の形態によっては、これらアルミ蒸着層４２を設けずとも良い。
【００３８】
また、サーモクロミック層４１を担持する基材層となるＰＥＴフィルム４３の厚みとしては、この厚みが厚すぎると得られるリライトシール４０の腰が強くなりすぎ、被着面の凹凸に追随できず、良好な粘着力を得ることができない一方、これらＰＥＴフィルム４３の厚みが薄すぎると、得られるリライトシール４０の機械的強度が低くなり、そのハンドリング性が大幅に低下するとともに、貼着時におけるＰＥＴフィルム４３の伸び等によりサーモクロミック層４１の発色性が低下する等の問題を生じる場合があることから、この厚みとしては、０．０５ミリメートルから０．５ミリメートルの範囲とすることが好ましく、本実施例では０．１２５ミリメートルとしている。
【００３９】
また、本実施例では、熱線反射層の材質として蒸着により容易に薄膜をＰＥＴフィルム４３上に形成することが可能であることからアルミを用いているが、本発明はこれに限定されるものではなく、これら熱線反射層の材質としては、ＰＥＴフィルム４３上に薄膜を容易に形成することのできる金属であれば好適に使用することができる。
【００４０】
また、本実施例では、断熱層として発泡ウレタン層４５を使用しており、その厚みとしては、該発泡ウレタン層４５が厚すぎると、リライトシール４０が貼着面から大きく突出するようになり、機械的な摺動や剥離力を受けやすくなってしまう一方、該発泡ウレタン層４５が薄過ぎると、書き換え記録時においてサーモクロミック層４１に印加される熱が、特に、２次元バーコードの周囲領域において被着面に逃げてしまい、良好なコントラストが得られなくなってしまうとともに、被着面の凹凸を該発泡ウレタン層４５にて吸収しきれなくなってしまうので、０．１ミリメートルから１．０ミリメートルの範囲とすることが好ましく、本実施例では０．５ミリメートルとしている。
【００４１】
また、これら断熱層の材質として、本実施例では、電子線処理により発泡させたポリウレタンシートを使用しているが、本発明はこれに限定されるものではなく、これら断熱層としては、伝熱性が低く、サーモクロミック層４１に印加される熱が被着面に逃げないようにできるものであれば良く、好ましくは、厚みが厚すぎると前述したように、破損や剥がれを生じる可能性が大きくなるので、薄くて良好な断熱性を得ることのできるものであれば良く、更には、弾性を有することで被着面の凹凸を有る程度吸収できるものであれば良く、このような観点から、本実施例では発泡プラスチックである発泡ウレタンを使用している。
【００４２】
また、本実施例では粘着層としてアクリル粘着剤層４６を使用しているが、本発明はこれに限定されるものではなく、これら粘着層の材質としては、良好な粘着力を得ることができるものであれば適宜に選択すれば良い。
【００４３】
以下、本実施例のリライトシール４０並びにハンディリードライト装置１の使用状況について、これらリライトシール４０並びにハンディリードライト装置１をＤＶＤソフトの製造管理に使用した例について説明する。
【００４４】
尚、本実施例では、収納ケース５０の組み立てラインの各工程の作業者には、個々にハンディリードライト装置１が割り当てられており、これら各工程の作業者が所持するハンディリードライト装置１には、事前に、ノートパソコン１００から各工程にて組み立てる対象の部品名やメディア名や等が読み込み記憶されている。
【００４５】
まず、無垢の収納ケース５０には、テープ状とされた貼着前の多数のリライトシール４０に、収納ケース５０に挿入する印刷シートや説明書、収納するべきＤＶＤメディアの種別（タイトル等）の情報と個々に固有の商品ＩＤとがシンボル化された２次元バーコードが記録されており、これら２次元バーコードが記録されている各リライトシール４０が、図示しないラベルマシンにより無垢の収納ケース５０の所定位置に貼着される。
【００４６】
そして、これらリライトシール４０が貼着された収納ケース５０は、次ぎに、ＤＶＤタイトル等が印刷された印刷シートが挿入される印刷シート挿入工程に送られて、印刷シートが挿入される。
【００４７】
この際、印刷シートの挿入に際して、その挿入する印刷シートがどのタイトルの印刷シートであるかを確認したい場合には、作業者は、リライトシール４０に記録されている２次元バーコードを、携行しているハンディリードライト装置１にて読み取ることで、該読み取った２次元バーコードにシンボル化されている種別（タイトル）が表示部５に表示されて該種別（タイトル）を確認することができる。
【００４８】
具体的に、読み取り操作においては、ハンディリードライト装置１を動作状態とすることで表示部５に表示されるようになる、電荷結合素子（ＣＣＤ）イメージセンサ３４により撮像された映像として、リライトシール４０の２次元バーコードの映像が表示されるように、ハンディリードライト装置１とリライトシール４０とを図１に示すように対峙させて、読み取りキースイッチ８を操作する。
【００４９】
この読み取りキースイッチ８の操作に応じて制御ユニット３１は、リーダモジュール３３に対してシンボルデータ要求を出力することで、リーダモジュール３３は、その時点において電荷結合素子（ＣＣＤ）イメージセンサ３４にて撮像している２次元バーコードの映像から、２次元バーコードの位置や読み取り方向等を、隅部に形成された所定のマークの配列等から特定して、所定のバーコード配列データとして読み取り、該バーコード配列データを制御ユニット３１に対して出力する。
【００５０】
そして、該バーコード配列データの出力に応じて制御ユニット３１は、該バーコード配列データの２次元バーコードにシンボル化されているデータ、つまり、種別（タイトル等）の情報や商品ＩＤを復号し、該復号したデータを表示するとともに、これら複合化したデータを一時記憶する。
【００５１】
そして、これら表示部５の表示にて確認した種別（タイトル）に合致する印刷シートを収納ケース５０に挿入した後、該収納ケース５０に貼着されているリライトシール４０の書き換え記録を実施する。
【００５２】
具体的には、動作状態とされて、電荷結合素子（ＣＣＤ）イメージセンサ３４により撮像された映像が逐次、表示部５に更新表示される状態のハンディリードライト装置１において、表示部５に表示されている印字ガイド表示の領域内にリライトシール４０の映像が表示されるように、開口１４内にリライトシール４０が位置するようにハンディリードライト装置１を配置した後、スライドボタン１０をスライド操作して、書き換え記録ヘッド１６を所定の印字位置にスライド移動させて、書き換え記録ヘッド１６の下端面１６’をリライトシール４０に密着させた状態で、記録キースイッチ７を操作する。
【００５３】
この記録キースイッチ７の操作に応じて制御ユニット３１は、表示部５に「書き換え記録中」のメッセージ表示を開始させる一方、新たに記録する情報、つまり、読み取った２次元バーコードに記録されていた種別（タイトル等）の情報や商品ＩＤに、当該作業者の作業者名や作業日時等の情報を追加した情報を、新たに記録する情報として特定し、該特定した新たに記録する情報を２次元バーコードの映像データに変換して、該変換した２次元バーコードの映像データを含む書き換え記録要求を、駆動回路３５に出力する。
【００５４】
この書き換え記録要求の入力に応じて駆動回路３５は、まず、２次元バーコードの映像データを一時記憶した後、既にリライトシール４０のサーモクロミック層４１に記録されている２次元バーコードを、サーマルヘッド部６３による所定の消去温度の発熱とマグネットアクチュエータによる面状サーマルヘッド部６１の移動とにより、リライトシール４０の全面において消去する。
【００５５】
そして、該消去を実施した後、一時記憶している２次元バーコードの映像データに基づいて、サーマルヘッド部６３による所定の記録温度の発熱とマグネットアクチュエータによる面状サーマルヘッド部６１の移動とにより、サーモクロミック層４１への２次元バーコードの記録を実施するとともに、記録完了通知を制御ユニット３１に出力する。
【００５６】
これらサーモクロミック層４１への２次元バーコードの消去や記録において、サーモクロミック層４１に印加された熱は、アルミ蒸着層４４により熱線反射されるとともに、発泡ウレタン層４５により、貼着面に逃げることが阻害されることにより、サーモクロミック層４１が所定の温度に良好に昇温させることになり、良好な消去並びに記録が実施できるようになる。
【００５７】
この記録完了通知の入力に応じて制御ユニット３１は、表示部の表示を「書き換え記録中」のメッセージ表示から「書き換え完了」のメッセージ表示に変更するとともに、サウンダ３０により完了音を出力して操作者に、書き換え記録が完了したことを報知した後、書き換え前の読み出したデータと、新たにリライトシール４０に記録したデータとを、フラッシュメモリ２９に、書き換え履歴として記憶する。
【００５８】
そして、操作者は、「書き換え完了」のメッセージ表示若しくは完了音により書き換え完了を知覚することにより、スライドボタン１０を逆スライド操作して、書き換え記録ヘッド１６を収納部２０’内に収納するとともに、これらリライトシール４０の書き換え記録を実施した収納ケース５０を、下流工程であるＤＶＤメディアの装填工程に送る。
【００５９】
このＤＶＤメディアの装填工程においても、印刷シートの挿入工程と同様に、リライトシール４０の読み取りや書き換え記録が実施されるとともに、装填するＤＶＤメディアの種類（タイトル）と、収納ケース５０に挿入されている印刷シートが違っている場合、つまり、間違って印刷シートが挿入されている場合等には、これらリライトシール４０を読み取ることで、間違って印刷シートを挿入した作業者を、管理コンピュータ等から情報を取得することなく特定することもできる。
【００６０】
また、これらＤＶＤメディアの装填工程後には、更に、説明書等の装填工程に送られるが、該説明書等の装填工程においても、同様にリライトシール４０の読み取りや書き換え記録が実施されることで、該収納ケース５０の製造において、どの工程の作業を、どの作業者が、いつ実施したのかを、管理コンピュータ等から情報を取得することなく、２次元バーコードを読み取るのみで特定することができる。
【００６１】
以上、本実施例のリライトシール４０によれば、情報記録シンボルリライトシールであるリライトシール４０が商品や製品に貼着されている状態にて書き換え記録がなされても、断熱層である発泡ウレタン層４５を有することによって書き換え記録時おける熱が商品や製品に逃げてしまうことを極力防止でき、２次元バーコード（情報記録シンボル）の書き換え記録を良好に実施できるようになる。
【００６２】
また、本実施例のリライトシール４０によれば、発泡による弾性体である発泡ウレタン層４５を用いることで、高い断熱性を保持しつつ、リライトシール４０が貼着されている面の凹凸等が該発泡ウレタン層４５により吸収され、サーモクロミック層４１と書き換え記録ヘッド１６の下端面１６’とを良好に密接させることができるようになるので、これら凹凸等による記録品位の低下を極力回避することができる。
【００６３】
また、本実施例のリライトシール４０によれば、熱線反射層となるアルミ蒸着層４４を有することで、更に貼着されている商品や製品への熱拡散を防止することができる。
【００６４】
また、本実施例のハンディリードライト装置１によれば、リライトシール４０に記録されている２次元バーコード（情報記録シンボル）にシンボル化されている管理情報を、管理コンピュータ等から取得することなく情報記録シンボルから直接取得して外部出力できるようになるとともに、これら管理情報に変更があった場合には、変更のあった管理情報がシンボル化された２次元バーコード（情報記録シンボル）に、迅速に書き換えることができる。
【００６５】
また、本実施例のハンディリードライト装置１によれば、電荷結合素子（ＣＣＤ）イメージセンサ３４にて撮像されたリライトシール４０の映像が、表示部５の所定位置に表示されるようにすることで、誘導手段となるスライド路２１によって所定の記録位置に書き換え記録手段となる書き換え記録ヘッド１６が誘導されて、リライトシール４０と書き換え記録ヘッド１６との位置合わせがなされるようになるので、これら書き換え記録時の位置合わせを簡便に実施することができる。
【００６６】
また、本実施例のハンディリードライト装置１によれば、書き換え記録ヘッド１６の下端面１６’がハンディリードライト装置１の下端面よりも突出するように、スライド移動させるので、書き換え記録ヘッド１６の下端面１６’のサーマルヘッド６３とリライトシール４０とを、より強固に密着させることができる。
【００６７】
また、本実施例のハンディリードライト装置１によれば、書き換え記録ヘッド１６が回動自在とされているので、リライトシール４０の貼着面が、傾斜または曲率を有していても、該傾斜方向や曲率方向を回動方向とすることで、これら傾斜または曲率を有する貼着面に貼着されているリライトシール４０にも、良好な書き換え記録を実施することができる。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、上記実施例では、情報記録シンボルとして２次元バーコードを例示しているが、本発明はこれに限定されるものではなく、これら情報記録シンボルとしては、使用に必要な十分な記録データ容量を有するものであれば、１次元や２次元等に限らず、各種の情報記録シンボルを使用することができる。
【００７０】
また、前記実施例では、リライト記録層としてアルミ蒸着層４２を伴うサーモクロミック層４１を例示しているが、本発明はこれに限定されるものではなく、これらリライト記録層は、加熱により書き換え記録が可能であって、十分なコントラストや解像度を得ることのできるものであれば、好適に使用することができる。
【００７１】
また、前記実施例では、熱線反射層であるアルミ蒸着層４４を有する構成としているが、本発明はこれに限定されるものではなく、これらアルミ蒸着層４４を有しない構成としても良い。
【００７２】
また、前記実施例のハンディリードライト装置１では、復号データ出力手段として、液晶モジュール３２とＵＳＢインターフェイス１３の双方を有する構成としているが、本発明はこれに限定されるものではなく、これらのいずれか一方のみとしても良い。
【００７３】
また、前記実施例のハンディリードライト装置１では、ＵＳＢインターフェイス１３を使用しているが、本発明はこれに限定されるものではなく、これらＵＳＢインターフェイス１３に代えて、ローカルエリアネットワーク（ＬＡＮ）との通信を有線にて実施できる有線ＬＡＮモジュールや、外部機器とのデータ通信を非接触にて実施できる、無線ＬＡＮやＰＨＳデータ通信モジュール（カード）や、携帯電話データ通信モジュール（カード）、小電力近距離高速通信モジュールや、赤外線通信モジュールを使用しても良い。
【００７４】
また、前記実施例のハンディリードライト装置１では、複数のサーマルヘッド部６３が並列配置された面状サーマルヘッド部６１を使用しており、このようにすることで、消去並びに記録をより迅速に完了できることから好ましいが、本発明はこれに限定されるものではなく、これら面状サーマルヘッド部６１に代えて、図９の書き換え記録ヘッド１６’に示すように、単一のサーマルヘッド部６３を有する走査ヘッド６５を走査可能に設けて、該走査ヘッド６５を走査させることで、消去並びに記録を実施するようにしても良い。
【００７５】
また、前記実施例のハンディリードライト装置１では、書き換え記録ヘッド１６を電荷結合素子（ＣＣＤ）イメージセンサ３４の撮像範囲内の所定位置にスライド移動させることで、リライトシール４０と書き換え記録ヘッド１６との位置合わせを容易に実施できるようにしているが、本発明はこれに限定されるものではなく、例えば、図１０に示すハンディリードライト装置１’のように、書き換え記録ヘッド１６を、その下端面１６’が露出するように、移動付加に固定して配置した構成としても良い。
【００７６】
また、前記実施例のハンディリードライト装置１では、発熱体として厚膜抵抗体等を備えるサーマルヘッドを使用しているが、本発明はこれに限定されるものではなく、これらサーマルヘッドに代えて、赤外線を放射出力可能なＬＥＤアレイを使用したヘッドとしても良い。
【００７７】
更には、図１１に示すハンディリードライト装置１”のように、開口１４を塞ぐように、液晶プロジェクタ等に使用されている、耐熱性並びに高解像度を有する小型液晶３８を設けるとともに、赤外線ランプ３７、反射ミラー３６とを設け、前記小型液晶３８を液晶シャッタとして形成し、リライトシール４０を読み取る際には、小型液晶３８の状態を光を透過する状態とすることで、リライトシール４０を電荷結合素子（ＣＣＤ）イメージセンサ３４が撮像できるようにする一方、リライトシール４０を消去する際には、これら小型液晶３８の状態を光を透過する状態とするとともに、消去に応じた熱がリライトシール４０のサーモクロミック層４１に生成するように、赤外線ランプ３７の出力を制御し、更に、２次元バーコードを記録する際には、記録する２次元バーコードの反転画像（ネガ画像）を小型液晶３８に表示させるとともに、記録に応じた熱がリライトシール４０のサーモクロミック層４１に生成するように赤外線ランプ３７の出力を制御することで、２次元バーコードの記録を実施するようにしても良い。
【図面の簡単な説明】
【００７８】
【図１】本発明の実施例におけるリライトシール４０とハンディリードライト装置１の全体像を示す斜視図である。
【図２】（ａ）は、本発明の実施例におけるハンディリードライト装置１の正面図、（ａ）は、本発明の実施例におけるハンディリードライト装置１の裏面図、（ｃ）は、本発明の実施例におけるハンディリードライト装置１の側面図である。
【図３】本発明の実施例におけるハンディリードライト装置１の構成を示すブロック図である。
【図４】本発明の実施例におけるハンディリードライト装置１と外部装置であるノートパソコン１００との接続状況を示す図である。
【図５】（ａ）、（ｂ）は、本発明の実施例におけるハンディリードライト装置１のＡ−Ａ断面図である。
【図６】本発明の実施例に用いた書き換え記録ヘッド１６を示す図である。
【図７】本発明の実施例におけるリライトシール４０の構成を示す断面図である。
【図８】（ａ）〜（ｃ）は、本発明の実施例のリライト記録層における書き換え記録の状況を示す説明図である。
【図９】その他の形態の書き換え記録ヘッド１６’を示す図である。
【図１０】その他の形態のハンディリードライト装置の断面図である。
【図１１】その他の形態のハンディリードライト装置の断面図である。
【符号の説明】
【００７９】
１      ハンディリードライト装置
２      頭部
３      把手部
５      表示部
６      操作パネル
７      記録キースイッチ
８      読み取りキースイッチ
９ａ    上部筐体
９ｂ    下部筐体
１０    スライドボタン
１１    スライドボタンガイド溝
１３    ＵＳＢインターフェイス
１４    開口
１５    開孔
１６    記録ヘッド
１７    連結部材
１８    主基板
１９    子基板
２０    凹部
２０’  収納部
２１    スライド路
２２    係止ピン
２３    フラットケーブル
２４    連通孔
２９    フラッシュメモリ
３０    サウンダ
３１    制御ユニット
３２    液晶モジュール
３３    リーダモジュール
３４    イメージセンサ
３５    駆動回路
３８    電源回路
３９    電池
４０    リライトシール
４１    サーモクロミック層
４２    アルミ蒸着層
４３    ＰＥＴフィルム
４４    アルミ蒸着層
４５    発泡ウレタン層
４６    アクリル粘着剤層
５０    収納ケース
６０    基台
６１    面状サーマルヘッド部
６２    四角状凹部
６３    サーマルヘッド部
【図１】
2008052456.tif 000003
【図２】
2008052456.tif 000004
【図３】
2008052456.tif 000005
【図４】
2008052456.tif 000006
【図５】
2008052456.tif 000007
【図６】
2008052456.tif 000008
【図７】
2008052456.tif 000009
【図８】
2008052456.tif 000010
【図９】
2008052456.tif 000011
【図１０】
2008052456.tif 000012
【図１１】
2008052456.tif 000013